(57)【要約】【課題】アクセサリーの端と端を簡易に、かつ、安定して連結できるとともに、アクセサリーの一部として見栄えがよく外観の美しさを確保できるクラスプを提供する。【解決手段】雌部１と雌部１に組合わさる雄部２とで構成する挿入式クラスプにおいて、雌部１は筒状に形成し、雄部２は前記雌部１の内部に嵌合する柱体状本体部６の端に雌部１に連続する外観を担う蓋体７を鍔状に形成し、前記柱体状本体部６にはこれをベースとして跳ね上がる板バネ１０を設け、板バネ１０には係止突起１２を設け、雌部１にはこの係突起１２が掛止する係止孔５を形成し、板バネ１０の根本端は立ち上げて押圧ボタン１１を設けた。【選択図】  図１
2016202616.tif 000002
【特許請求の範囲】
【請求項１】
雌部と雌部に組合わさる雄部とで構成する挿入式クラスプにおいて、雌部は筒状に形成し、雄部は前記雌部の内部に嵌合する柱体状本体部の端に雌部に連続する外観を担う蓋体を鍔状に形成し、前記柱体状本体部にはこれをベースとして跳ね上がる板バネを設け、板バネには係止突起を設け、雌部にはこの係突起が掛止する孔を形成し、板バネ根本端は立ち上げて押圧ボタンを設けたことを特徴とするクラスプ。
【請求項２】
柱体状本体部は、線材を２本並べて形成した請求項１記載のクラスプ。
【請求項３】
柱体状本体部は、周面長さ方向に溝を形成し、この溝に板バネを配置する請求項１記載のクラスプ。
【発明の詳細な説明】
【技術分野】
【０００１】
本発明は、クラスプ（連結具）に関し、より詳細には、ネックレス、ブレスレット等のアクセサリーに適用されるクラスプに関するものである。
【背景技術】
【０００２】
装身具であるネックレス、ブレスレット等には真珠等の宝石の数珠繋ぎ、貴金属チェーンや貴金属ワイヤーなどの両端に雄部と雌部との組合せで構成されるクラスプを取り付け、この雄部と雌部との結合と切り離しとでネックレスやブレスレットなどを身体に付け、または外しているが、かかるクラスプの一例として従来、図１０、図１１に示すようなものがある。（下記特許文献参照）
【特許文献１】登録実用新案第３０４３１２２号公報
【０００３】
これは雌部２１と雄部２２とで構成し、雌部２１には雄部２２を係止するバー部２３と回動自在な係止片２４とが設けてある。雌部２１と雄部２２を結合するには、係止片２４を開き、バー部２３の上方部を開放してこの状態でバー部２３に雄部２２をセットし、係止片２４を回動して雄部２２を上から押さえるようにしてバー２３の個所に固定し、係止片２４の先端部を雌部２１の係止部２５に係止する。
【０００４】
一方、下記特許文献２にはバネを利用した挿入式のクラスプが示されている。これは図１２に示すように、真珠ネックレス等の連珠装身具に使用する連結具として、連結具１２０は、差込み穴１２６を形成した中空箱型のメス金具１２１と、金属板をＶ字状に折り曲げて板ばねを形成したオス金具１２２とから構成され、使用時においては、押圧片１２４を指先で押圧して偏平な形状とされたオス金具１２２を、メス金具１２１の差込み穴２６より差し込み指先を放すことで、板ばねの弾発力を利用して双方を連結する。
【特許文献２】特開２０００−３１６６１６号公報
【発明の概要】
【発明が解決しようとする課題】
【０００５】
前記図２、図１１に示すクラスプでは、雌部２１と雄部２２とを結合し、また、切り離すには係止片２４を回動してバー部２３の上方部を閉じたり、開放する必要がある。そして、結合時にはこのバー部２３の個所にその上方から雄部２２を挿入し、また、切り離し時はバー部２３の上方へと雄部２２を離す必要がある。
【０００６】
このように雌部２１と雄部２２の結合、切り離しは、雌部２１への雄部２２の装着、離脱の方向および角度が限定されるだけでなく、係止片２４の回動を要し、特に雄部２２の装着時には雄部２２をバー部２３にセットした状態でこれが外れないように保持しながら係止片２４を回動しなければならない。そして、このような作業は、頸の後など、目で直接見ることの出来ない場所や、手首など、片手で作業しなければならない場所で行うものであり、使い勝手がよくなかった。
【０００７】
また、図１０に示すバネを利用した挿入式のクラスプでは、連結具２０は、通常首の後ろに位置した状態で、雄金具２２の板ばねの先端を雌金具２１の差込み穴２６に、雄金具２２の表裏面を確認して差込まなければならず、必要な場合には、雄金具２２と雌金具２１を前面に位置させておいて、目視しながら双方を連結することもあった。したがって、押圧片２４を指先で押圧するという事前のアクションが必要であることと相俟って、前記連結具２０は装着時の操作が難しいという欠点を有していた。
【０００８】
この他図示は省略するが、螺子式で２つの連結部材を螺子結合するものもあるが、同様に装着時の操作が難しいという欠点を有している。
【０００９】
本発明の目的は前記従来例の不都合を解消し、アクセサリーの端と端を簡易に、かつ、安定して連結できるとともに、アクセサリーの一部として見栄えがよく外観の美しさを確保できるクラスプを提供することにある。
【課題を解決するための手段】
【００１０】
前記目的を達成するため請求項１記載の本発明は、雌部と雌部に組合わさる雄部とで構成する挿入式クラスプにおいて、雌部は筒状に形成し、雄部は前記雌部の内部に嵌合する柱体状本体部の端に雌部に連続する外観を担う蓋体を鍔状に形成し、前記柱体状本体部にはこれをベースとして跳ね上がる板バネを設け、板バネには係止突起を設け、雌部にはこの係突起が掛止する孔を形成し、板バネ根本端は立ち上げて押圧ボタンを設けたことを要旨とするものである。
【００１１】
請求項１記載の本発明によれば、雌部と雌部に組合わさる雄部とで構成する挿入式クラスプで、雌部に対して雌部は柱体状本体部を挿入することでしっかりと納まり、結合される。また、雄部は雌部に連続する外観を担う蓋体を鍔状に形成したので、雌部・雌部結合状態では一体連続したものなり、クラスプ部分があたかもアクセサリーの一装飾ピースとしての外観を有する。その結果、クラスプ部分が首の後ろではなく、前側に来ても違和感のないものである。
【００１２】
さらに雄部はバネ単体ではなく、柱体状本体部にはこれをベースとして跳ね上がる板バネを設けたので、バネは柱体状本体部に支えられて安定したものとなる。
【００１３】
クラスプの外しを行うには押圧ボタンを押して板バネには掛止を解いて柱体状本体部を雌部から引き抜けばよいが、かかる板バネの弾性解除および引き抜きもベースとして柱体状本体部があるので安定して行うことができ、全体を小さなものにすることができる。
【００１４】
係突起を押す部分である押圧ボタンは板バネ根本端（先端の固定部と反対側で跳ね上がりの一番大きな箇所にあるので押しやすく、外す時は見えなくても確認し易い。
【００１５】
請求項２記載の本発明は、柱体状本体部は、線材を２本並べて形成したことを要旨とするものである。
【００１６】
請求項２記載の本発明によれば、細い鎖に使用するものとしてごく小さなクラスプとして形成する場合、雄部の柱体状本体部も細いものとなるが、これを線材を２本並べて形成することで、簡単に溝付きの柱体状本体部を形成できる。
【００１７】
請求項３記載の本発明は、柱体状本体部は、周面長さ方向に溝を形成し、この溝に板バネを配置することを要旨とするものである。
【００１８】
請求項３記載の本発明は、柱体状本体部の面長さ方向に形成した溝に板バネを配置することで押圧ボタンを押して板バネの掛止めを解除するにも板バネを溝内に収め、邪魔にならないようにすることができる。
【発明の効果】
【００１９】
以上述べたように本発明のクラスプは、アクセサリーの端と端を簡易に、かつ、安定して連結できるとともに、アクセサリーの一部として見栄えがよく外観の美しさを確保できるものである。
【発明を実施するための形態】
【００２０】
以下図面について本発明の実施の形態を詳細に説明する。図１は本発明のクラスプの結合状態の側面図、図２は解除状態の側面図で、貴金属製の雌部１と雌部１に組合わさる貴金属製の雄部２とで構成する挿入式クラスプである。
【００２１】
雌部１は閉鎖端と開口端を有し、内部に空洞３を形成した筒状体であり、閉鎖端側にはチェーン等の係止輪４を形成する。
【００２２】
また、開口端近くの周壁に帯状の長溝を周方向に形成し、これを係止孔５とした。図示の例では係止孔５は内側から外側に抜けるものとしたが、外側には開口せず、内側に留めておいてもよい。
【００２３】
雄部２は、前記雌部１の空洞３の内部に嵌合する柱体状本体部６を有し、該柱体状本体部６の端に雌部１に連続する外観を担う蓋体７を鍔状に形成した。
【００２４】
この雌部１に連続する外観を担うとは、あたかも雌部１の一部となるようにその外観形状を雌部１と同じくすることである。図示の例では雌部１は円柱体としたので、蓋体７も同様な短い円柱体とした。蓋体７の外側にも係止輪４を形成する。
【００２５】
本実施形態のクラスプは極小のものであり、雌部１は前記柱体状本体部６を図４に示すように細い線材（丸線）８を２本横に並べてロー付けして形成した。線材８は断面円形であり、上面には谷部として溝９が形成される。線材（丸線）８の線形を０．４ｍｍとすることでクラスプ全体を細いものとすることができ、クラスプの外形は１．５ｍｍの極小に形成できる。
【００２６】
図中１０は板バネであるが、先端を柱体状本体部６の先にロー付けして固定し、溝９の上方で跳ね上げるようにして柱体状本体部６をベースとして設置した。
【００２７】
板バネ１０は板バネ根本端は屈曲させて立ち上げてその先端に皿状の押圧ボタン１１を設けた。
【００２８】
また、板バネ１０は屈曲させる根本端の少し手前側に上に向けて三角状の係止突起１２を設ける。この係止突起１２は前記雌部１の係止孔５に掛止するものである。係止突起１２の形成は前記細い線材（丸線）８と同じような形の丸線をレーザーで共付けして一体感を出した。
【００２９】
次に使用法について説明すると、雌部１と雄部２はそれぞれ係止輪４を介して貴金属チェーン等の細線に結合してネックレスを形成するものであり、ネックレスを止めるには、雌部１に対して雄部２をその柱体状本体部６を挿入する。
【００３０】
この柱体状本体部６の挿入とともに板バネ１０も徐々に押し付けられて平たくなるようにして雌部１内に入り、係止突起１２が係止孔５に掛止する。
【００３１】
この状態では押圧ボタン１１のみが外側に顕出する状態である。
【００３２】
ネックレスを外すにはクラスプを摘んで、押圧ボタン１１を押せば、係止突起１２が係止孔５より外れるので、雌部１から雄部２を引き出せばよい。
【００３３】
図５〜図９は本発明の第２実施形態を示すもので、前記第１実施形態よりは少し大型のクラスプであり、図８に示すようなブレスレッド１３や、図９に示すようなネックレス１４にも使用可能で、例えば真珠や貴金属球の数珠繋ぎチェーンの如き、前記第１実施形態の場合よりも少し太いものにも使用できるものである。
【００３４】
この第２実施形態においても本発明のクラスプの基本構成は同じであり、貴金属製の雌部１と雌部１に組合わさる貴金属製の雄部２とで構成する挿入式クラスプである。
【００３５】
雌部１は閉鎖端と開口端を有し、内部に空洞３を形成した筒状体であり、閉鎖端側にはチェーン等の係止輪４を形成する。本実施形態では係止輪４は突起として形成するものでなく、切欠き溝を形成し、これを塞ぐような形で形成した。
【００３６】
また、開口端近くの周壁に帯状の長溝を周方向に形成し、これを係止孔５とした。本実施形態では係止孔５は内側にのみ開口し、外側にはでないものとする。
【００３７】
雄部２は、前記雌部１の空洞３の内部に嵌合する円柱による柱体状本体部６を有し、該柱体状本体部６の端に雌部１に連続する外観を担う蓋体７を鍔状に形成する。
【００３８】
この雌部１に連続する外観を担うとは、あたかも雌部１の一部となるようにその外観形状を雌部１と同じくすることである。図示の例では雌部１は円柱体としたので、蓋体７も同様な短い円柱体とした。蓋体７の外側にも同様な係止輪４を形成する。
【００３９】
本実施形態では、雄部２は前記柱体状本体部６は、周面長さ方向に溝９を形成し、この溝９に板バネ１０を配置する。
【００４０】
板バネ１０は先端部を下側に折り曲げて柱体状本体部６の孔に差し込み固定し、溝９に沿って跳ね上げ、柱体状本体部６をベースとして設置した。
【００４１】
板バネ１０は板バネ根本端は屈曲させて立ち上げてその先端に皿状の押圧ボタン１１を設けた。
【００４２】
また、板バネ１０は屈曲させる根本端の少し手前側に上に向けて三角状の係止突起１２を設ける。この係止突起１２は前記雌部１の係止孔５に掛止するものである。
【００４３】
使用法は前記第１実施形態とほぼ同じであり、説明を省略する。
【００４４】
また、図９に示す例はクラスプ全体を円筒ではなく、楕円形（フットボール状）としたものであり、この場合の雄部２の蓋体７は雌部１の外形に連続するような曲線をもつものにすることで、雌部１に連続する外観を担うものとなる。
【図面の簡単な説明】
【００４５】
【図１】本発明のクラスプの第１実施形態を示す結合状態の側面図である。
【図２】本発明のクラスプの第１実施形態を示す解除状態の側面図である。
【図３】雌部の柱体状本体部の斜視図である。
【図４】雌部の柱体状本体部の端面図である。
【図５】本発明のクラスプの第２実施形態を示す解除状態の側面図である。
【図６】本発明のクラスプの第２実施形態を示す結合状態の縦断側面図である。
【図７】本発明のクラスプの第２実施形態を示す雄部の斜視図である。
【図８】ブレスレットの適用例を示す正面図である。
【図９】ネックレスの適用例を示す正面図である。
【図１０】従来例の１例を示す斜視図である。
【図１１】従来例の他例を示す斜視図である。
【符号の説明】
【００４６】
１…雌部                        ２…雄部
３…空洞                        ４…係止輪
５…係止孔                      ６…柱体状本体部
７…蓋体                        ８…線材
９…溝                          １０…板バネ
１１…押圧ボタン                １２…係止突起
２１…雌部                      ２２…雄部
２３…バー部                    ２４…係止片
２５…係止部
１２０…連結具                １２１…メス金具
１２２…オス金具              １２６…差込み穴
１２４…押圧片
【図１】
2016202616.tif 000003
【図２】
2016202616.tif 000004
【図３】
2016202616.tif 000005
【図４】
2016202616.tif 000006
【図５】
2016202616.tif 000007
【図６】
2016202616.tif 000008
【図７】
2016202616.tif 000009
【図８】
2016202616.tif 000010
【図９】
2016202616.tif 000011
【図１０】
2016202616.tif 000012
【図１１】
2016202616.tif 000013